(57)【要約】【課題】従来のデュアルスクリーンノート型パソコンの物理キーボードにより入力できない問題を解決する。【解決手段】本発明は、第１表示パネルと、第２表示パネルと、キーボードとを備える携帯電子機器を開示する。第２表示パネルは第１表示パネルに枢着されている。第２表示パネルは、表示スクリーンと、表示スクリーンの下方に設けられている少なくとも１つのガイド磁石とを含む。キーボードは、第２表示パネルの表示スクリーンの上方に取外し可能に設けられている。キーボードは、少なくとも１つの磁性部材を含む。キーボードは、少なくとも１つの磁性部材と少なくとも１つのガイド磁石間の磁気的吸引力によって、第２表示パネルの第１表示パネルに枢着された側辺に垂直な移動方向に沿って表示スクリーンに対して変位可能になるように制御される。【選択図】図２
2020087431.tif 000002
【特許請求の範囲】
【請求項１】
第１表示パネルと、
前記第１表示パネルに枢着されている第２表示パネルであって、
表示スクリーンと、
前記表示スクリーンの下方に設けられている少なくとも１つのガイド磁石とを含む第２表示パネルと、
前記第２表示パネルの前記表示スクリーンの上方に取外し可能に設けられているキーボードと、
を備え、
前記キーボードは、少なくとも１つの磁性部材を含み、
前記キーボードは、前記少なくとも１つの磁性部材と前記少なくとも１つのガイド磁石間の磁気的吸引力によって、前記第２表示パネルの前記第１表示パネルに枢着された側辺に垂直な移動方向に沿って前記表示スクリーンに対して変位可能になるように制御される、
携帯電子機器。
【請求項２】
前記第２表示パネルは、前記第２表示パネルの前記表示スクリーンの下方に設けられている少なくとも１つのスライドレールをさらに含み、
前記少なくとも１つのスライドレールは前記移動方向と互いに平行し、前記少なくとも１つのガイド磁石はそれぞれ前記少なくとも１つのスライドレール内に設けられている、
請求項１に記載の携帯電子機器。
【請求項３】
前記第２表示パネルは、それぞれ前記第２表示パネルの前記表示スクリーンの下方に設けられている第１位置決め磁石及び第２位置決め磁石をさらに含み、
前記キーボードは、第３位置決め磁石をさらに含み、
前記キーボードが前記表示スクリーン上の第１位置に位置すると、前記第３位置決め磁石は、前記第１位置決め磁石と互いに磁気吸引し、
前記キーボードが前記表示スクリーン上の第２位置に位置すると、前記第３位置決め磁石は、前記第２位置決め磁石と互いに磁気吸引する、
請求項１に記載の携帯電子機器。
【請求項４】
前記第２表示パネルは、第１側辺、第２側辺、第３側辺及び第４側辺を有し、前記第２側辺は前記第１側辺に対向し、前記第３側辺は前記第４側辺に対向し、前記第１側辺は前記第１表示パネルに枢着され、
前記キーボードは、第５側辺、第６側辺、第７側辺及び第８側辺を有し、前記第６側辺は前記第５側辺に対向し、前記第８側辺は前記第７側辺に対向し、前記キーボードが前記第１位置に位置すると、前記第５側辺は前記第１側辺に近接し、前記キーボードが前記第２位置に位置すると、前記第６側辺は前記第２側辺に近接する、
請求項３に記載の携帯電子機器。
【請求項５】
前記第１位置決め磁石は前記第１側辺に位置し、前記第３位置決め磁石は前記第５側辺に位置し、
前記第２位置決め磁石と前記第１位置決め磁石とのピッチは、前記キーボードの移動距離に等しい、
請求項４に記載の携帯電子機器。
【請求項６】
前記第２位置決め磁石は前記第２側辺に位置し、前記第３位置決め磁石は前記第６側辺に位置し、前記第１位置決め磁石と前記第２位置決め磁石とのピッチは、前記キーボードの移動距離に等しい、
請求項４に記載の携帯電子機器。
【請求項７】
前記第２表示パネルは、前記第３側辺又は前記第４側辺に間隔を隔てて設けられている少なくとも２つの前記ガイド磁石を有し、
前記磁性部材は、前記第７側辺又は該第８側辺に位置する、
請求項４に記載の携帯電子機器。
【請求項８】
前記第２表示パネルは、処理モジュール及び磁力誘導モジュールをさらに含み、
前記磁力誘導モジュールは、前記処理モジュールに電気的に接続され、
前記磁力誘導モジュールは、前記第２位置決め磁石に隣接して設けられている、
請求項３に記載の携帯電子機器。
【請求項９】
前記第２表示パネルは、前記処理モジュールに電気的に接続される第１接続ポートをさらに含み、
前記キーボードは、第２接続ポートをさらに含み、
前記キーボードが前記第１位置に位置すると、前記第１接続ポートは、前記第２接続ポートに電気的に接続され、
前記処理モジュールは、接続信号を受信し第１使用モードを実行する、
請求項８に記載の携帯電子機器。
【請求項１０】
前記キーボードが前記第２位置に位置すると、前記第３位置決め磁石は、前記第２位置決め磁石と互いに磁気吸引し、
前記処理モジュールは、前記磁力誘導モジュールから誘導信号を受信し、
前記処理モジュールは、第２使用モードを実行する、
請求項８に記載の携帯電子機器。
【請求項１１】
前記第２表示パネルの前記表示スクリーンの上面は凹溝であり、
前記キーボードは、前記凹溝内に収容される、
請求項１に記載の携帯電子機器。
【請求項１２】
前記第１表示パネル及び前記第２表示パネルは、いずれもタッチ表示パネルである、
請求項１に記載の携帯電子機器。
【発明の詳細な説明】
【技術分野】
【０００１】
本発明は、携帯電子機器に関し、特に、２つのタッチ表示パネルを有する携帯電子機器に関する。
【背景技術】
【０００２】
科学技術の発展に伴い、タッチ技術が日増しに成熟していき、プロセッサの機能が向上していくことによって、ノート型パソコン、タブレット型コンピュータ等の携帯電子機器は、より多様な機能を実行できるようになっている。携帯電子機器を設計又は製造する業者は、さらに、異なるユーザの需要に対して、様々な異なるタイプの携帯電子機器を提供する。
【０００３】
ノート型パソコンの場合、市場には、表示面がそれぞれノート型パソコンのＢ面、Ｃ面にある２つのタッチ表示パネルを組み合わせたノート型パソコンも出回っている。一般には、このタイプの携帯電子機器は、デュアルスクリーンノート型パソコンとも呼ばれ、ユーザは、２つのタッチ表示パネルによってインタラクションの効果を達成することができる。このタイプのノート型パソコンは、物理キーボードを備えず、２つ又は１つのタッチ表示パネルの表示面上に直接にタッチによる入力を行うものである。例えば、作図の需要のあるユーザにとって、一方のタッチ表示パネルの表示面は、作図板として使用可能である。Ｃ面のタッチ表示パネルに仮想キーボードを表示する使用モードもあるが、ユーザは、やはりタッチ方式でＣ面における仮想キーボードをクリックする。
【０００４】
しかし、物理キーボードの使用に慣れたユーザにとって、別途に物理キーボードを電気的に接続するしかない。言い換えると、ユーザは、デュアルスクリーンノート型パソコン以外、物理キーボードを携帯しなければならないので、ユーザにとって非常に不便であり、確かに改善する必要がある。
【発明の概要】
【０００５】
上述した課題を鑑みて、本発明の目的は、従来のデュアルスクリーンノート型パソコンの物理キーボードにより入力できない問題を解決するために、第１表示パネルと、第２表示パネルと、キーボードとを備え、第２表示パネルにガイド磁石、キーボードに磁性部材を設けることによって、キーボードを、第２表示パネルに設けて異なる位置間に摺動可能にする携帯電子機器を提供することにある。
【０００６】
前記目的を達成するために、本発明は、第１表示パネルと、第２表示パネルと、キーボードとを備える携帯電子機器を提供する。第２表示パネルは第１表示パネルに枢着されている。第２表示パネルは、表示スクリーンと、少なくとも１つのガイド磁石とを含む。少なくとも１つのガイド磁石は、表示スクリーンの下方に設けられている。キーボードは、第２表示パネルの表示スクリーンの上方に取外し可能に設けられている。キーボードは、少なくとも１つの磁性部材を含む。キーボードは、少なくとも１つの磁性部材と少なくとも１つのガイド磁石間の磁気的吸引力によって、第２表示パネルの第１表示パネルに枢着された側辺に垂直な移動方向に沿って表示スクリーンに対して変位可能になるように制御される。
【０００７】
上記したように、本発明の携帯電子機器によれば、第１表示パネルと、第２表示パネルと、キーボードとを備え、キーボードは、第２表示パネルに取外し可能に設けられているので、ユーザは、直接キーボードを操作でき、物理キーボードによる入力の効果を提供する。また、第２表示パネルはガイド磁石を含み、キーボードは磁性部材を含むので、ガイド磁石及び磁性部材によって、キーボードの表示スクリーンにおける摺動を制御することができる。
【０００８】
さらに、キーボードが異なる位置に位置することに応じて、異なる使用モードとすることもできるので、携帯電子機器（デュアルスクリーンノート型パソコン）の使用モードを多様化することができる。
【図面の簡単な説明】
【０００９】
【図１】本発明の第１実施例に係る携帯電子機器の模式図である。
【図２】図１に示す第２表示パネルとキーボードの分解模式図である。
【図３Ａ】図１に示すキーボードの第２表示パネルにおける移動の作動模式図である。
【図３Ｂ】図１に示すキーボードの第２表示パネルにおける移動の作動模式図である。
【図３Ｃ】図１に示すキーボードの第２表示パネルにおける移動の作動模式図である。
【図４】図１に示す第２表示パネル及びキーボードのブロック模式図である。
【図５】図１に示す携帯電子機器の第２使用モードでの模式図である。
【図６】図１に示す携帯電子機器の第３使用モードでの模式図である。
【図７】本発明の第２実施例に係る第２表示パネル及びキーボードの分解模式図である。
【図８】本発明の第３実施例に係る第２表示パネル及びキーボードの分解模式図である。
【図９】本発明の第４実施例に係る第２表示パネル及びキーボードの分解模式図である。
【発明を実施するための形態】
【００１０】
本発明の特徴、内容、メリット及びそれによって達成できる効果をより明確に理解させるために、本発明について、添付図面を参照して、実施例という表現形式で以下のとおり詳細に説明する。
【００１１】
図１は本発明の第１実施例に係る携帯電子機器の模式図であり、図２は図１に示す第２表示パネルとキーボードの分解模式図であり、図１と図２を同時に参照する。先ず、本実施例に係る携帯電子機器１について、デュアルスクリーンノート型パソコンを例として説明し、即ち、携帯電子機器１は、２つのタッチ表示パネルを組み合わせたものであり、ここで、それぞれ第１表示パネル１０及び第２表示パネル２０と呼ぶことにする。言い換えると、本実施例に係る携帯電子機器１は、第１表示パネル１０と第２表示パネル２０とを備え、第２表示パネル２０と第１表示パネル１０は枢着されており、有線又は無線方式で電気的に接続することによって、第１表示パネル１０と第２表示パネル２０との間に信号及びデータの転送を行うことができる。
【００１２】
本実施例において、第２表示パネル２０の１つの側辺は、第１表示パネル１０に枢着され、ここで、第１表示パネル１０は、携帯電子機器１のＡ、Ｂ部材とされてもよく、第２表示パネル２０は携帯電子機器１のＣ、Ｄ部材とされてもよい。以下、各要素の配置位置を明らかに説明するために、第２表示パネル２０の４つの側辺を、それぞれ第１側辺２０１、第２側辺２０２、第３側辺２０３及び第４側辺２０４と表記し、ここで、第２表示パネル２０は、第１側辺２０１が第１表示パネル１０の側辺に枢着され、第２側辺２０２が第１側辺２０１に対向し、第３側辺２０３及び第４側辺２０４が第１側辺２０１に隣接する両側に位置し、第３側辺２０３が第４側辺２０４に対向する。
【００１３】
また、携帯電子機器１は、キーボード３０をさらに備え、キーボード３０は、第２表示パネル２０の表示スクリーン２００の上方に取外し可能に設けられ、携帯電子機器１のC面とされてもよい。同様に、各要素の配置位置を明らかに説明するために、キーボード３０の４つの側辺を、それぞれ第５側辺３０１、第６側辺３０２、第７側辺３０３及び第８側辺３０４と表記する。ここで、第６側辺３０２は第５側辺３０１に対向し、第８側辺３０４は第７側辺３０３に対向する。キーボード３０が表示スクリーン２００の上方に置かれると、第５側辺３０１、第６側辺３０２、第７側辺３０３及び第８側辺３０４は、順に第１側辺２０１、第２側辺２０２、第３側辺２０３及び第４側辺２０４に対応する。
【００１４】
図３Ａ〜図３Ｃを合わせて参照し、図３Ａ〜図３Ｃは図１に示すキーボードの第２表示パネルにおける移動の作動模式図である。図３Ａ〜図３Ｃに示すように、キーボード３０は、移動方向Ｄに沿って表示スクリーン２００上を摺動し、例えば第１位置Ｐ１（図３Ａに示す）及び第２位置Ｐ２（図３Ｃに示す）の間に摺動することができる。本実施例において、移動方向Ｄは、第２表示パネル２０の第１表示パネル１０に枢着された第１側辺２０１に垂直である。図３Ａに示すように、本実施例に係る第１位置Ｐ１は、キーボード３０が第１表示パネル１０に近接する位置であり、図３Ｃに示すように、第２位置Ｐ２は、キーボード３０が第１表示パネル１０から遠ざかる位置である。
【００１５】
いくつかの実施例において、図２に示すように、第２表示パネル２０は、少なくとも１つの第１位置決め磁石２１及び少なくとも１つの第２位置決め磁石２２を含み、それに対応して、キーボード３０は、少なくとも１つの第３位置決め磁石３１を含むことによって、キーボード３０は、第１位置Ｐ１又は第２位置Ｐ２に位置決めされる。
【００１６】
なお、第２表示パネル２０は、少なくとも１つのガイド磁石２３をさらに含み、キーボード３０は、少なくとも１つの磁性部材３２をさらに含み、ガイド磁石２３と磁性部材３２との間の小さい磁気的吸引力によって、キーボード３０は、移動方向Dに沿って第１位置Ｐ１及び第２位置Ｐ２の間に摺動するように制御される。説明すべきなのは、ここで言う小さい磁気的吸引力とは、ガイド磁石２３と磁性部材３２との間の磁気的吸引力が第１位置決め磁石２１、第２位置決め磁石２２と第３位置決め磁石３１との間の磁気的吸引力よりも小さいことを指す。ここで、第１位置決め磁石２１、第２位置決め磁石２２、第３位置決め磁石３１及びガイド磁石２３は、いずれも磁石であるが、本開示内容は、これに限られるものではない。以下、先ず第１実施例を例として、各磁石及び磁性部材３２の配置関係について説明する。
【００１７】
図２に示すように、本実施例において、第２表示パネル２０は、２つの第１位置決め磁石２１及び２つの第２位置決め磁石２２を含み、第１位置決め磁石２１及び第２位置決め磁石２２は、第２表示パネル２０の表示スクリーン２００の下方に設けられている。そのうち２つの第１位置決め磁石２１は、間隔を隔てて第１側辺２０１に位置し、２つの第２位置決め磁石２２は、間隔を隔てて第２側辺２０２に位置する。それに対応して、キーボード３０は、４つの第３位置決め磁石３１を有し、第２表示パネル２０の第１位置決め磁石２１及び第２位置決め磁石２２の位置に対応するように、２つの第３位置決め磁石３１は、第５側辺３０１に位置し、他の２つの第３位置決め磁石３１は、第６側辺３０２に位置する。好ましくは、第３位置決め磁石３１は、第２表示パネル２０に近接するようにキーボード３０の底部に設けられている。本発明では、第３位置決め磁石３１が、キーボード３０の内面又は外面に設けられるかは制限されておらず、好ましくは、キーボード３０の外観の一体性を保つように、キーボード３０の内面に設けられ、即ちキーボード３０の内部に設けられることができる。
【００１８】
また、第２表示パネル２０は、４つのガイド磁石２３を有し、ガイド磁石２３も、第２表示パネル２０の表示スクリーン２００の下方に設けられている。そのうち２つのガイド磁石２３は、第３側辺２０３に間隔を隔てて設けられ、他の２つのガイド磁石２３は、第４側辺２０４に間隔を隔てて設けられている。それに対応して、キーボード３０は、第７側辺３０３又は第８側辺３０４に位置する２つの磁性部材３２を有する。磁性部材３２は、キーボード３０の底部に設けられ、内面又は外面に位置してもよいが、本実施例に係る磁性部材３２は、キーボード３０の内面に位置することを例とし、同様に、キーボード３０の外観の一体性を保つことができる。本実施例に係る磁性部材３２は長尺状であり、長軸方向が、キーボード３０の移動方向Ｄと互いに平行し、キーボード３０を、移動方向Ｄに沿って移動するようにガイドする。
【００１９】
同時に図２及び図３Ａを参照し、キーボード３０が第１位置Ｐ１に位置すると、キーボード３０の第５側辺３０１は、第２表示パネル２０の第１側辺２０１に近接する。第５側辺３０１に位置する第３位置決め磁石３１は、第１側辺２０１に位置する第１位置決め磁石２１と互いに磁気吸引することによって、キーボード３０を、第１位置Ｐ１に固定することができる。この時、第１側辺２０１に近接するガイド磁石２３も、磁性部材３２に対して互いに磁気吸引する。次に、ユーザは、キーボード３０に付勢し、キーボード３０を第２側辺２０２の方向に向けて押して移動させることができる。ユーザによる付勢力が第１位置決め磁石２１と第３位置決め磁石３１との間の磁気的吸引力よりも大きくなると、キーボード３０は、図３Ｂに示すように、第２側辺２０２の方向に向けて押され移動し始め、第２側辺２０２に近接するガイド磁石２３は、磁性部材３２と互いに磁気吸引することによって、キーボード３０を、第２側辺２０２の方向に向けて移動し続けるようにガイドすることができる。キーボード３０が第２位置Ｐ２に移動すると、キーボード３０の第６側辺３０２は第２表示パネル２０の第２側辺２０２に近接する。図３Ｃに示すように、第６側辺３０２に位置する第３位置決め磁石３１は、第２側辺２０２に位置する第２位置決め磁石２２と互いに磁気吸引することによって、キーボード３０は、第２位置Ｐ２に固定される。
【００２０】
このため、第２表示パネル２０の第１位置決め磁石２１及び第２位置決め磁石２２は、それぞれキーボード３０を第１位置Ｐ１及び第２位置Ｐ２に位置決めするためのものであり、ガイド磁石２３は、キーボード３０の移動領域を規制するとともに、キーボード３０を第１位置Ｐ１から第２位置Ｐ２に移動させるようにガイドすることができるものである。図２に示すように、本実施例では、第２表示パネル２０の第３側辺２０３及び第４側辺２０４の両方にガイド磁石２３が設けられており、キーボード３０の第７側辺３０３及び第８側辺３０４に、対応して磁性部材３２が設けられている。他の実施例において、一方のみにガイド磁石２３及び磁性部材３２を設けてもよい。例えば、第２表示パネル２０は、第３側辺２０３又は第４側辺２０４に間隔を隔てて設けられている２つのガイド磁石２３を有してもよい。それに対応して、キーボード３０は、ガイド磁石２３の位置に応じて第７側辺３０３又は第８側辺３０４に設けられる１つの磁性部材３２を有してもよい。なお、本発明では、ガイド磁石２３及び磁性部材３２の数は制限されておらず、他の数であってもよい。
【００２１】
好ましくは、第２表示パネル２０の表示スクリーン２００の上面は、キーボード３０を収容可能で、キーボード３０が移動時に第２表示パネル２０の第３側辺２０３又は第４側辺２０４を乗り上げないようにキーボード３０の移動領域を規制するための凹溝である。
【００２２】
図４は、図１に示す第２表示パネル及びキーボードのブロック模式図であり、図２及び図４を参照する。好ましくは、第２表示パネル２０は、キーボード３０が異なる位置（第１位置Ｐ１又は第２位置Ｐ２）に位置することに応じて、異なる使用モードを実行することもできる。具体的には、本実施例に係る第２表示パネル２０は、処理モジュール２４と、磁力誘導モジュール２５と、第１接続ポート２６とをさらに含み、磁力誘導モジュール２５及び第１接続ポート２６は、それぞれ処理モジュール２４に電気的に接続される。ここで、磁力誘導モジュール２５は第２位置決め磁石２２に隣接して設けられ、第１接続ポート２６は第１側辺２０１に設けられている。それに対応して、キーボード３０は、第５側辺３０１に設けられている第２接続ポート３３をさらに含む。
【００２３】
図１に示すように、キーボード３０が第１位置Ｐ１に位置すると、第１接続ポート２６は第２接続ポート３３に電気的に接続され、第１接続ポート２６は、接続信号を処理モジュール２４に伝送することができる。処理モジュール２４は、接続信号を受信した場合に、第１使用モードを実行することができる。本実施例において、処理モジュール２４は、第２表示パネル２０を、第２側辺２０２に近いブロックに、ユーザによってカーソル位置を操作するためのタッチプレート２０５を表示するように制御することを含む第１使用モードを実行する。言い換えると、第１使用モードは、Ｂ面（第１表示パネル１０）を表示スクリーンとし、Ｃ面に物理キーボード（キーボード３０）及びタッチプレート２０５が配置される通常のノート型パソコンの操作モードである。
【００２４】
キーボード３０が第２位置Ｐ２に位置すると、第３位置決め磁石３１は、第２位置決め磁石２２と互いに磁気吸引し磁力変化を生じ、第２位置決め磁石２２に隣接して設けられる磁力誘導モジュール２５は、磁力変化を検出すると、誘導信号を処理モジュール２４に伝送することができる。処理モジュール２４は、磁力誘導モジュール２５からの誘導信号を受信した場合に、誘導信号に応じて第２使用モードを実行することができる。本実施例において、図１に示す携帯電子機器の第２使用モードでの模式図である図５に示すように、処理モジュール２４は、例えば第２表示パネル２０を、第１側辺２０１に近いブロックにチャットウィンドウを表示するように制御する第２使用モードを実行する。現在、フィルム再生インターフェース、ゲームインターフェース又は生放送のインターフェースに、同時にチャットルームのインターフェース（例えばチャットウィンドウ）も備えるものが多いので、ユーザは、ゲームする時に、チャットウィンドウによってメッセージを伝送することによって、他のユーザとインタラクションの効果を生じることができる。しかしながら、一般的なノート型パソコンでは、同一の表示パネルにゲームインターフェース及びチャットウィンドウを表示するものであるため、常にゲームインターフェースとチャットルームウインドウを切り替える必要があり、使用上の不便を招いてしまう。それに対して、本実施例において、キーボード３０を第２位置Ｐ２に移動させる（即ち、処理モジュール２４によって第２使用モードを実行する）ことによって、第１表示パネル１０にゲームインターフェースを表示し、第２表示パネル２０にチャットウィンドウを表示することで、ユーザは、操作の際に、ゲームインターフェースとチャットウィンドウを切り替える必要がない。
【００２５】
なお、本実施例に係るキーボード３０と第２表示パネル２０とは、無線方式で結合され、例えばブルートゥース（登録商標）方式でキーボード３０からの入力信号を伝送することができる。キーボード３０が第１位置Ｐ１に位置すると、第１接続ポート２６は、第２接続ポート３３に電気的に接続することができ、処理モジュール２４は、接続信号を受信し第１使用モードを実行できる以外、電源供給モジュール（図示せず）から電力をキーボード３０に供給し、第１接続ポート２６及び第２接続ポート３３を介して電力を伝達するように制御することもできる。
【００２６】
本実施例に係る携帯電子機器は、図１に示す携帯電子機器の第３使用モードでの模式図である図６に示すように、第３使用モードをさらに有してもよい。第３使用モードにおいて、ユーザは、キーボード３０を直接取り外して使用することができ、第１表示パネル１０及び第２表示パネル２０は、同時に画面の表示に用いられることができる。なお、第１表示パネル１０及び第２表示パネル２０を、直接に一般的なデュアルスクリーン表示装置として使用してもよく、第１表示パネル１０及び第２表示パネル２０を直立させ、閲読という使用モードとしてもよい。
【００２７】
図７は、本発明の第２実施例に係る第２表示パネル及びキーボードの分解模式図であり、図７を参照する。本実施例において、第２表示パネル２０aは、１つの第１位置決め磁石２１a、１つの第２位置決め磁石２２a、及び１つのガイド磁石２３aを含み、キーボード３０aは、１つの第３位置決め磁石３１a及び１つの磁性部材３２aを含む。本実施例は、第１位置決め磁石２１a、第２位置決め磁石２２a、ガイド磁石２３a、磁力誘導モジュール２５a、第３位置決め磁石３１a及び磁性部材３２aの数と配置位置において、第１実施例と異なる。説明を簡素化するために、他の要素について、直接第１実施例を参照し、その符号をそのまま用いることができ、同一の符号は同一の機能を持つ要素を示す。
【００２８】
本実施例において、第１位置決め磁石２１aは第１側辺２０１に位置し、第２位置決め磁石２２aは第１側辺２０１及び第２側辺２０２の間に位置し、第２位置決め磁石２２aと第１位置決め磁石２１aとのピッチＳは、キーボード３０aの移動距離Ｍに等しく、略キーボード３０aの幅である。説明すべきなのは、図７に示す移動距離Ｍは、第２表示パネル２０aに示され、キーボード３０aの第６側辺３０２を基準として移動距離Ｍを示すことである。また、磁力誘導モジュール２５aは、第２位置決め磁石２２aに隣接して設けられるので、第１側辺２０１及び第２側辺２０２の間に位置する。第３位置決め磁石３１aは第５側辺３０１に位置する。第２表示パネル２０aは、第３側辺２０３に設けられているガイド磁石２３aを１つのみ有する。それに対応して、キーボード３０aは、第５側辺３０１に設けられている１つの磁性部材３２aを有する。
【００２９】
キーボード３０aが第１位置Ｐ１に位置すると、第１側辺２０１に位置する第１位置決め磁石２１aは、第５側辺３０１に位置する第３位置決め磁石３１aと互いに磁気吸引することによって、キーボード３０aを、第１位置Ｐ１に固定することができる。本実施例に係る磁性部材３２aも長尺状であり、磁性部材３２aの長軸方向は、キーボード３０aの移動方向Ｄと互いに平行し、磁性部材３２aとガイド磁石２３a間の磁気的吸引力によって、キーボード３０aは、移動方向Ｄに沿って第１位置Ｐ１から第２位置Ｐ２に移動することができる。また、第２位置決め磁石２２aと第１位置決め磁石２１aとのピッチＳがキーボード３０aの移動距離Ｍに等しいので、キーボード３０aが第２位置Ｐ２に移動すると、第３位置決め磁石３１aは、第２位置決め磁石２２aの位置に移動し、第２位置決め磁石２２aは、第３位置決め磁石３１aと互いに磁気吸引することによって、キーボード３０aを、第２位置Ｐ２に固定することができる。
【００３０】
図８は、本発明の第３実施例に係る第２表示パネル及びキーボードの分解模式図であり、図８を参照する。本実施例は、第２実施例と比べ、第１位置決め磁石２１b、第２位置決め磁石２２b及び第３位置決め磁石３１bの数が同じであるが、配置位置が異なる。同様に、説明を簡素化するために、他の要素について、直接第１又は第２実施例を参照し、その符号をそのまま用いることができ、同一の符号は同一の機能を持つ要素を示す。本実施例において、第２位置決め磁石２２bは第２側辺２０２に位置し、第１位置決め磁石２１bは第１側辺２０１及び第２側辺２０２の間に位置し、第１位置決め磁石２１bと第２位置決め磁石２２bとのピッチＳは、キーボード３０bの移動距離Ｍに等しい。同様に、図８に示す移動距離Ｍは、第２表示パネル２０bに示され、キーボード３０bの第６側辺３０２を基準として移動距離Ｍを示す。本実施例に係る第３位置決め磁石３１bは、キーボード３０bの第６側辺３０２に位置する。磁力誘導モジュール２５bは、第２位置決め磁石２２bに隣接して設けられ、第２側辺２０２に設けられている。
【００３１】
キーボード３０bが第１位置Ｐ１に位置すると、第６側辺３０２に位置する第３位置決め磁石３１bは、第１位置決め磁石２１bと互いに磁気吸引することによって、キーボード３０bを、第１位置Ｐ１に固定することができる。キーボード３０bが第２位置Ｐ２に移動すると、第２側辺２０２に位置する第２位置決め磁石２２bは、第３位置決め磁石３１bと互いに磁気吸引することによって、キーボード３０bを、第２位置Ｐ２に固定することができる。本実施例に係るガイド磁石２３a及び磁性部材３２aの配置と連結関係は、第２実施例と同じであるので、その符号をそのまま用いるものとする。
【００３２】
図９は、本発明の第４実施例に係る第２表示パネル及びキーボードの分解模式図であり、図９を参照する。本実施例は、第２表示パネル２０cは少なくとも１つのスライドレール２７cをさらに含み、ガイド磁石２３cはスライドレール２７c内を移動可能である点で、第１実施例と異なる。説明を簡素化するために、他の要素について、直接第１実施例を参照し、その符号をそのまま用いることができ、同一の符号は同一の機能を持つ要素を示す。本実施例に係るスライドレール２７cは、第２表示パネル２０cの表示スクリーン２００の下方に設けられ、スライドレール２７cは移動方向Ｄと互いに平行する。具体的には、本実施例では、２つの辺にスライドレール２７cが設けられているので、第２表示パネル２０cは、それぞれ第３側辺２０３及び第４側辺２０４に位置する２つのスライドレール２７cを有する。また、ガイド磁石２３cは、スライドレール２７c内に設けられ、スライドレール２７c内を移動可能である。本実施例に係るキーボード３０は、第１実施例と同じであるので、その符号をそのまま用い、それぞれ第７側辺３０３及び第８側辺３０４に位置する２つの磁性部材３２を有する。キーボード３０が第２表示パネル２０c上に置かれると、ガイド磁石２３cは、磁性部材３２と互いに磁気吸引することができる。キーボード３０が移動する場合に、磁性部材３２は、ガイド磁石２３cをスライドレール２７c内を移動するように従動させる。スライドレール２７cは長尺状であり、その長軸が移動方向Ｄと互いに平行するので、キーボード３０を、移動方向Ｄに沿って第１位置Ｐ１及び第２位置Ｐ２の間に移動するようにガイドすることもできる。他の実施例において、スライドレール２７cを１つの辺のみに設け、第３側辺２０３又は第４側辺２０４に位置させてもよい。それに対応して、磁性部材３２は第７側辺３０３又は第８側辺３０４に位置し、この場合でも、キーボード３０の移動をガイドする効果を達成することができる。
【００３３】
上記したように、本発明の携帯電子機器によれば、第１表示パネルと、第２表示パネルと、キーボードとを備え、キーボードは、第２表示パネルに取外し可能に設けられているので、ユーザは、直接キーボードを操作でき、物理キーボードによる入力の効果を提供する。また、第２表示パネルはガイド磁石を含み、キーボードは磁性部材を含むので、ガイド磁石及び磁性部材によって、キーボードの表示スクリーンにおける摺動を制御することができる。
【００３４】
さらに、キーボードが異なる位置（第１位置又は第２位置）に位置することに応じて、異なる使用モードとすることもできるので、携帯電子機器（デュアルスクリーンノート型パソコン）の使用モードを多様化することができる。
【００３５】
以上に述べた実施例は、本発明の技術思想及び特徴を説明するためのものに過ぎず、その目的は、当業者が本発明の内容を理解してそれに基づいて実施することができることにあり、これにより本発明の特許請求の範囲を限定することができない。本発明に記載される精神による均等な変更又は修飾は、依然として本発明の特許請求の範囲内に包含されるべきである。
【図１】
2020087431.tif 000003
【図２】
2020087431.tif 000004
【図３Ａ】
2020087431.tif 000005
【図３Ｂ】
2020087431.tif 000006
【図３Ｃ】
2020087431.tif 000007
【図４】
2020087431.tif 000008
【図５】
2020087431.tif 000009
【図６】
2020087431.tif 000010
【図７】
2020087431.tif 000011
【図８】
2020087431.tif 000012
【図９】
2020087431.tif 000013